(57)【要約】      （修正有）【課題】姿勢を安定させることによって装飾機能を高めることができる物品保持スタンドを提供する。【解決手段】物品保持スタンド１０は、物品を保持するものであり、物品を収納する物品収納部１４と、本体部１２の姿勢を安定させる複数の脚部１６とを備えている。物品収納部１４は、物品に損傷を与えない柔らかい材料で形成されており、物品収納部の開口部２８は、本体部の表面に開かれている。複数の脚部のそれぞれは、袋状に形成された袋状部３２と、袋状部に充填された充填材３４とを有している。物品保持スタンド１０は、イヌの外観を模した形状に形成されており、開口部はイヌの口に対応しており、各脚部はイヌの足に対応している。【選択図】図２
0003209528.tif 000002
【実用新案登録請求の範囲】
【請求項１】
物品を保持する物品保持スタンドであって、
弾力性のあるクッション材と前記クッション材を覆う外皮材とを有する本体部と、
前記本体部の表面に開かれた開口部を有し、前記本体部の内部で物品を収納する物品収納部と、
前記本体部に設けられ、前記本体部の姿勢を安定させる複数の脚部とを備え、
前記物品収納部は、前記物品に損傷を与えない柔らかい材料で形成されており、
複数の前記脚部のそれぞれは、袋状に形成された袋状部と、前記袋状部に充填された充填材とを有している、物品保持スタンド。
【請求項２】
前記開口部は、斜め上方に向けて開かれており、
平面視における前記開口部が向いた方向を「前」、その反対方向を「後」、前方に向いて左側を「左」、その反対側を「右」としたとき、
少なくとも１つの前記脚部は、前記本体部の左側に設けられており、少なくとも１つの他の前記脚部は、前記本体部の右側に設けられている、請求項１に記載の物品保持スタンド。
【請求項３】
複数の前記脚部のそれぞれは、平面視において前記本体部から突出するように設けられている、請求項２に記載の物品保持スタンド。
【請求項４】
２つの前記脚部が前後方向に間隔を隔てて前記本体部の左側に設けられており、他の２つの前記脚部が前後方向に間隔を隔てて前記本体部の右側に設けられている、請求項２または３に記載の物品保持スタンド。
【請求項５】
前記本体部には、前記本体部の姿勢を平坦面上で安定させるときに前記平坦面に接触する接触部が設けられている、請求項２ないし４のいずれか１項に記載の物品保持スタンド。
【請求項６】
前記本体部の内部における前記接触部の上方に位置する部分には、おもりが設けられている、請求項５に記載の物品保持スタンド。
【請求項７】
前記接触部の前端は、前記物品収納部に収納された前記物品の重心よりも後方に設けられており、
左前側の前記脚部および右前側の前記脚部は、前記前端よりも前方で前記物品の荷重を受けて撓むように構成されている、請求項５または６に記載の物品保持スタンド。
【請求項８】
前記物品収納部は、前記本体部の外側に引き出したり、前記本体部の内側に押し込んだりできるように構成されており、
前記物品収納部の長さは、複数の前記脚部のそれぞれの下面から前記開口部までの鉛直方向距離とほぼ同じ長さに定められている、請求項１ないし７のいずれか１項に記載の物品保持スタンド。
【請求項９】
前記本体部は、動物またはキャラクタの外観を模した形状に形成されており、
前記本体部における前記開口部に近接する部分には、前記動物またはキャラクタの目に対応する部分が前記開口部とほぼ同じ方向を向いて形成されている、請求項１ないし８のいずれか１項に記載の物品保持スタンド。
【考案の詳細な説明】
【技術分野】
【０００１】
本考案は、主として、携帯電話、デジタルカメラおよびメガネなどの物品を保持する物品保持スタンドに関する。
【背景技術】
【０００２】
従来から、携帯電話、デジタルカメラおよびメガネなどの物品を非使用時に収納するための物品収納ケースがある。例えば、下記特許文献１には、ワニの外観を模した形状のメガネケースが開示されており、下記特許文献２には、イヌの外観を模した形状の物品収納ケースが開示されている。なお、メガネケースは物品収納ケースの一種である。
【先行技術文献】
【特許文献】
【０００３】
【特許文献１】実用新案登録第３１３２２０３号公報
【特許文献２】実用新案登録第３１６４３１４号公報
【０００４】
上記特許文献１のメガネケースでは、ワニの４本の足のそれぞれに対応する部分がフェルトなどで平面的に形成されているため、これらの部分の強度が不十分であり、机などの上でメガネケースの姿勢を安定させることが困難であった。そのため、重量が大きい携帯電話機やデジタルカメラなどを収納した場合には、簡単に転倒するおそれがあった。一方、上記特許文献２の物品収納ケースは、バッグの手提げ部分などに吊り下げるように構成されているため、イヌの４本の足のそれぞれに対応する部分は単なる装飾であり、机などの上で物品収納ケースの姿勢を安定させることが困難であった。したがって、これらのメガネケースおよび物品収納ケースでは、机などの上で見栄えのする部分を見え易くすることが困難であり、装飾性の面で問題があった。
【０００５】
本考案は上記問題に対処するためになされたものであり、姿勢を安定させることによって装飾機能を高めることができる、物品保持スタンドを提供することを目的とする。
【考案の概要】
【０００６】
上記目的を達成するため、本考案の特徴は、物品を保持する物品保持スタンドであって、弾力性のあるクッション材と前記クッション材を覆う外皮材とを有する本体部と、前記本体部の表面に開かれた開口部を有し、前記本体部の内部で物品を収納する物品収納部と、前記本体部に設けられ、前記本体部の姿勢を安定させる複数の脚部とを備え、前記物品収納部は、前記物品に損傷を与えない柔らかい材料で形成されており、複数の前記脚部のそれぞれは、袋状に形成された袋状部と、前記袋状部に充填された充填材とを有していることにある。
【０００７】
この構成では、複数の脚部によって本体部の姿勢を安定させることができるので、見栄えのする部分を見え易くすることができ、装飾機能を高めることができる。複数の脚部のそれぞれは、袋状に形成された袋状部と、袋状部に充填された充填材とを有しているので、これらの脚部によって物品収納部に収納された物品の荷重を支持するための強度を確保できる。
【０００８】
上記目的を達成するため、本考案の他の特徴は、前記開口部は、斜め上方に向けて開かれており、平面視における前記開口部が向いた方向を「前」、その反対方向を「後」、前方に向いて左側を「左」、その反対側を「右」としたとき、少なくとも１つの前記脚部は、前記本体部の左側に設けられており、少なくとも１つの他の前記脚部は、前記本体部の右側に設けられていることにある。
【０００９】
この構成では、開口部が斜め上方に向けて開かれているので、開口部に物品を挿し込み易い。また、本体部の左右両側に脚部が設けられているので、これらの脚部によって本体部の姿勢を安定させ易い。
【００１０】
上記目的を達成するため、本考案の他の特徴は、複数の前記脚部のそれぞれは、平面視において前記本体部から突出するように設けられていることにある。
【００１１】
この構成では、左右両側の脚部が本体部から突出するように設けられており、左右両側の脚部間の距離を本体部の左右方向幅よりも長くすることができるので、本体部の姿勢を安定させ易い。
【００１２】
上記目的を達成するため、本考案の他の特徴は、２つの前記脚部が前後方向に間隔を隔てて前記本体部の左側に設けられており、他の２つの前記脚部が前後方向に間隔を隔てて前記本体部の右側に設けられていることにある。
【００１３】
この構成では、４つの脚部が前後左右に間隔を隔てて設けられているので、本体部の姿勢を安定させ易い。
【００１４】
上記目的を達成するため、本考案の他の特徴は、前記本体部には、前記本体部の姿勢を平坦面上で安定させるときに前記平坦面に接触する接触部が設けられていることにある。
【００１５】
この構成では、本体部の接触部を平坦面に接触させることによって、平坦面に対する接触面積を広くすることができるので、本体部の姿勢を安定させ易い。
【００１６】
上記目的を達成するため、本考案の他の特徴は、前記本体部の内部における前記接触部の上方に位置する部分には、おもりが設けられていることにある。
【００１７】
この構成では、おもりの荷重によって接触部を平坦面に押し付けることができるので、本体部の姿勢を安定させ易い。
【００１８】
上記目的を達成するため、本考案の他の特徴は、前記接触部の前端は、前記物品収納部に収納された前記物品の重心よりも後方に設けられており、左前側の前記脚部および右前側の前記脚部は、前記前端よりも前方で前記物品の荷重を受けて撓むように構成されていることにある。
【００１９】
この構成において、物品収納部に物品を収納すると、前側の２つの脚部が撓んで、本体部の前部が下がり、使用者が物品保持スタンドを見たときの印象が変わる。例えば、本体部の前部を動物の顔を模した形状に形成した場合には、顔の表情が変わる。したがって、物品保持スタンドの装飾機能を高めることができ、使用者を楽しませることができる。
【００２０】
上記目的を達成するため、本考案の他の特徴は、前記物品収納部は、前記本体部の外側に引き出したり、前記本体部の内側に押し込んだりできるように構成されており、前記物品収納部の長さは、複数の前記脚部のそれぞれの下面から前記開口部までの鉛直方向距離とほぼ同じ長さに定められていることにある。
【００２１】
物品収納部を本体部の外側に引き出したときには、物品収納部が開口部から垂れ下がる。しかし、物品収納部の長さは、複数の脚部のそれぞれの下面から開口部までの鉛直方向距離とほぼ同じ長さに定められているので、物品保持スタンドが机の上面に置かれている場合でも、物品収納部は机の上面に接触し難い。したがって、机の汚れが物品収納部に付着することを抑制できる。
【００２２】
上記目的を達成するため、本考案の他の特徴は、前記本体部は、動物またはキャラクタの外観を模した形状に形成されており、前記本体部における前記開口部に近接する部分には、前記動物またはキャラクタの目に対応する部分が前記開口部とほぼ同じ方向を向いて形成されていることにある。
【００２３】
この構成では、動物またはキャラクタの目に対応する部分が開口部とほぼ同じ方向を向いて形成されているので、物品を開口部に挿し込む際には、動物またはキャラクタの目を必ず見ることになる。したがって、物品保持スタンドに対する使用者の愛着を増すことができ、使用者を楽しませることができる。
【図面の簡単な説明】
【００２４】
【図１】本考案の一実施形態に係る物品保持スタンドの構成を示す斜視図である。
【図２】図１に示す物品保持スタンドの構成を示す図であり、（Ａ）は左側面図、（Ｂ）は前方斜め上方から見た図である。
【図３】図１に示す物品保持スタンドの構成を示す底面図である。
【図４】図１に示す物品保持スタンドの使用状態を示す左側面図である。
【図５】図１に示す物品保持スタンドの物品収納部を引き出した状態を示す左側面図である。
【考案を実施するための形態】
【００２５】
以下、本考案に係る物品保持スタンドの一実施形態について図面を参照しながら説明する。図１は、本考案の一実施形態に係る物品保持スタンド１０の構成を示す斜視図である。図２は、物品保持スタンド１０の構成を示す図であり、（Ａ）は左側面図、（Ｂ）は前方斜め上方から見た図である。図３は、物品保持スタンド１０の構成を示す底面図である。図４は、物品保持スタンド１０の使用状態を示す左側面図である。これらの各図は、本考案の理解を容易にするために、一部の構成要素を誇張して表わすなど模式的に表している。このため、各構成要素間の寸法や比率などは実物とは異なっていることがある。なお、以下の説明で用いる「前後左右」の各方向は、図面中に矢印で示した各方向と一致する。
【００２６】
図１に示す物品保持スタンド１０は、物品Ｘ（図４）を保持する物品保持スタンドであり、デザイン性や装飾性を重視する観点から、イヌ（パグ）の外観を模した形状に形成されている。なお、図４では、物品Ｘとしてのスマートフォンを物品保持スタンド１０で保持した状態を示している。
【００２７】
（物品保持スタンド１０の構成）
図２（Ａ）に示すように、物品保持スタンド１０は、本体部１２と、物品収納部１４と、複数（本実施形態では４つ）の脚部１６とを備えている。なお、図２（Ａ）では、本体部１２および脚部１６の内部構造が分かるように、これらの一部を破断して示している。
【００２８】
図２（Ａ）に示すように、本体部１２は、イヌの胴体、首、頭および顔に対応する部分であり、弾力性のあるクッション材１８と、クッション材１８を覆う外皮材２０とを有している。クッション材１８は、イヌの胴体、首、頭および顔に対応する部分の全体を形づくる弾力性のある部材であり、本実施形態では、ポリエステル製の綿素材によって形成されている。なお、クッション材１８の材料は、特に限定されるものではなく、ポリエステル製の綿素材に代えて、例えば、スポンジ、ウレタン、低反発素材、樹脂製ビーズなどが用いられてもよい。
【００２９】
外皮材２０は、クッション材１８の全体を覆うことによって本体部１２の外側表面を構成するシート状の部材であり、本実施形態では、毛皮状の素材で形成されている。毛皮状の素材としては、ファー、ボア、パイル、モヘアおよびシールなどから選択された１つが用いられてもよいし、これらから選択された２つ以上が組み合わせて用いられてもよい。なお、外皮材２０の材料は、特に限定されるものではなく、毛皮状の素材に代えて、平滑な表面を有するシート状の材料（例えば、革材）が用いられてもよい。
【００３０】
図２（Ａ）に示すように、本体部１２には、本体部１２の姿勢を平坦面Ｐ上で安定させるときに平坦面Ｐに接触する接触部２４が設けられている。また、本体部１２の内部における接触部２４の上方に位置する部分には、おもり２６が設けられている。おもり２６は、その荷重によって接触部２４を平坦面Ｐに押し付けるためのものである。本実施形態では、石、砂、金属粒および樹脂粒などの複数の粒状の部材でおもり２６が構成されている。
【００３１】
図２（Ａ）に示すように、物品収納部１４は、物品Ｘ（図４）を収納する袋状の部材であり、物品Ｘを出し入れするための開口部２８を有している。物品収納部１４は、物品Ｘに損傷を与えない柔らかい材料によって、物品Ｘを収納可能な形状および大きさに形成されている。本実施形態では、物品収納部１４の材料として、ポリエステル製の超極細繊維で形成された布素材が用いられている。
【００３２】
物品収納部１４は、本体部１２におけるイヌの首に対応する部分の内部に設けられている。開口部２８は、イヌの口に対応する部分であり、本体部１２の表面に開かれている。図２（Ａ）に示すように、本実施形態では、開口部２８が前方斜め上方に向けて開かれており、開口部２８が向く方向（一点鎖線Ｍで示す方向）と水平面とが成す角度αは６０度に定められている。さらに、本体部１２における開口部２８に近接する部分には、イヌの目に対応する部分３０が開口部２８とほぼ同じ方向を向いて形成されている。なお、上記角度αは、特に限定されるものではなく、イヌの表情などに応じて適宜変更されてもよい。
【００３３】
本実施形態では、「前後左右」の各方向が、平面視において開口部２８が向いた方向を基準に定められている。つまり、図１に示すように、平面視において開口部２８が向いた方向が「前」、その反対方向が「後」、前方に向いて左側が「左」、その反対側が「右」とされている。
【００３４】
図５は、物品保持スタンド１０の物品収納部１４を引き出した状態を示す左側面図である。図２（Ａ）に示す物品収納部１４は、開口部２８において本体部１２の外皮材２０に接続されているが、本体部１２の内部ではクッション材１８などに固定されていない。つまり、物品収納部１４は、その開口部２８を通して、本体部１２の外側に引き出したり（図５）、本体部１２の内側に押し込んだりできるように構成されている。図５に示すように、物品収納部１４の長さは、複数の脚部１６のそれぞれの下面から開口部２８までの鉛直方向距離Ｌとほぼ同じ長さに定められている。
【００３５】
図４に示すように、物品Ｘを開口部２８に挿し込んで、その大部分を物品収納部１４に収納したとき、物品Ｘの重心Ｇは、接触部２４の前端２４ａよりも前方に配置される。つまり、接触部２４の前端２４ａは、物品収納部１４に収納された物品Ｘの重心Ｇよりも後方に設けられている。したがって、本体部１２の前部には、物品Ｘの荷重によって、前端２４ａを中心とする下向きの回動力が作用し、この回動力で前側の２つの脚部１６が撓んで、本体部１２の前部が下げられる。
【００３６】
図１に示す複数の脚部１６のそれぞれは、本体部１２の姿勢を安定させる部材であり、イヌの４本の足のそれぞれに対応するように構成されている。図３に示すように、本実施形態では、２つの脚部１６が前後方向に間隔を隔てて本体部１２の左側に設けられており、他の２つの脚部１６が前後方向に間隔を隔てて本体部１２の右側に設けられている。
【００３７】
図２（Ａ）に示すように、各脚部１６は、袋状部３２と、充填材３４とを有している。袋状部３２は、脚部１６の外側表面を構成する部材であり、本体部１２を構成する外皮材２０と同じ材料によって、袋状に形成されている。充填材３４は、脚部１６の強度を確保するために袋状部３２に充填される部材であり、本体部１２を構成するクッション材１８と同じ材料によって形成されている。なお、充填材３４の材料は、特に限定されるものではなく、クッション材１８とは異なる材料が用いられてもよい。
【００３８】
本実施形態において、少なくとも左前側の脚部１６および右前側の脚部１６は、充填材３４の充填密度を調整することなどによって、物品Ｘ（図４）の荷重を受けて撓むように構成されている。また、左前側の脚部１６および右前側の脚部１６は、接触部２４の前端２４ａよりも前方に設けられている。つまり、左前側の脚部１６および右前側の脚部１６は、接触部２４の前端２４ａよりも前方で物品Ｘ（図４）の荷重を受けて撓むように構成されている。
【００３９】
図３に示すように、複数の脚部１６のそれぞれは、本体部１２から左右方向に突出するように設けられている。これにより、前側の２つの脚部１６間の距離Ｗ１および後側の２つの脚部１６間の距離Ｗ２は、いずれも本体部１２における各脚部１６が設けられた部分の左右方向幅Ｗ３よりも長くされている。なお、ここでの距離Ｗ１，Ｗ２は、底面視（または平面視）における２つの脚部１６の左右方向外側の端縁間の距離を意味している。この構成により、複数の脚部１６のそれぞれが本体部１２の姿勢を安定させる機能を持つことは明らかである。
【００４０】
（物品保持スタンド１０の作動）
物品保持スタンド１０の作動について、図４および図５を参照しながら説明する。図４に示すように、物品保持スタンド１０を用いて物品Ｘを保管するときには、まず、使用者は、机などの平坦面Ｐ上に物品保持スタンド１０を置く。続いて、使用者は、本体部１２の表面に開かれた開口部２８（イヌの口に対応する部分）に物品Ｘを挿し込んで、この物品Ｘの大部分を物品収納部１４の内部に収納する。これにより、使用者は、机などの平坦面Ｐ上で物品Ｘを保管することができる。なお、物品収納部１４は、物品Ｘに損傷を与えない柔らかい材料、具体的には、超極細繊維からなる布素材で形成されているため、物品Ｘを物品収納部１４の内部に収納するときに物品Ｘが損傷することはない。
【００４１】
物品Ｘを使用するときには、使用者は、物品Ｘを物品保持スタンド１０の物品収納部１４から引き出す。物品Ｘを引き出した状態において、使用者は、物品収納部１４を用いて物品Ｘに付着した汚れを拭き取ることができる。具体的には、図５に示すように、使用者は、開口部２８（イヌの口に対応する部分）の中に指を入れて物品収納部１４を本体部１２の外側に引き出す。これにより、物品収納部１４は、本体部１２の外側において開口部２８から垂れ下がった状態になる。したがって、使用者は、この物品収納部１４を用いて物品Ｘに付着した指紋や手垢などの汚れを拭き取ることができる。なお、物品収納部１４は、物品Ｘに損傷を与えない柔らかい材料で形成されているため、物品Ｘを拭くときに物品Ｘが損傷することはない。物品Ｘの汚れを拭き取った後、使用者は、物品収納部１４を開口部２８から押し込んで、これを再び本体部１２の内部に収納する。
【００４２】
（実施形態の効果）
本実施形態によれば、上記構成により以下の各効果を奏することができる。すなわち、図１に示すように、複数の脚部１６によって本体部１２の姿勢を安定させることができるので、見栄えのする部分（本実施形態ではイヌの顔に対応する部分）を見え易くすることができ、装飾機能を高めることができる。また、開口部２８が斜め上方に向けて開かれているので、開口部２８に物品Ｘ（図４）を挿し込み易い。
【００４３】
図３に示すように、本体部１２の左右両側に合計４つの脚部１６が設けられており、各脚部１６は、平面視（または底面視）において本体部１２から左右方向の外側に突出するように設けられている。また、図２（Ａ）に示すように、本体部１２の接触部２４を平坦面Ｐに接触させて、平坦面Ｐに対する接触面積を広く確保している。さらに、おもり２６の荷重によって接触部２４を平坦面Ｐに押し付けるようにしている。したがって、これらの相乗作用によって、本体部１２の姿勢を安定させ易い。
【００４４】
図２（Ａ）に示すように、複数の脚部１６のそれぞれは、袋状に形成された袋状部３２と、袋状部３２に充填された充填材２４とを有しているので、これらの脚部１６によって物品収納部１４に収納された物品Ｘ（図４）の荷重を支持するための強度を確保できる。
【００４５】
図４に示すように、物品収納部１４に物品Ｘを収納すると、前側の２つの脚部１６が撓んで、本体部１２の前部が下がり、使用者が物品保持スタンド１０を見たときの印象が変わる。つまり、イヌの顔の表情が変わる。したがって、物品保持スタンド１０の装飾機能を高めることができ、使用者を楽しませることができる。
【００４６】
図５に示すように、物品収納部１４の長さは、複数の脚部１６のそれぞれの下面から開口部２８までの鉛直方向距離Ｌとほぼ同じ長さに定められているので、本体部１２の外側に引き出された物品収納部１４が開口部２８から垂れ下がった場合でも、物品収納部１４は机の上面（図示省略）などに接触し難い。したがって、机の汚れが物品収納部１４に付着することを抑制できる。
【００４７】
図２（Ａ）に示すように、イヌの目に対応する部分３０が開口部２８とほぼ同じ方向を向いて形成されているので、物品Ｘ（図４）を開口部２８に挿し込む際には、イヌの目を必ず見ることになる。したがって、物品保持スタンド１０に対する使用者の愛着を増すことができ、使用者を楽しませることができる。
【００４８】
（変形例）
なお、本考案の実施にあたっては、上記実施形態に限定されず、本考案の目的を逸脱しない限りにおいて種々の変更が可能である。例えば、上記実施形態では、物品保持スタンド１０がイヌ（パグ）の外観を模した形状に形成されているが、物品保持スタンド１０は、他の動物やキャラクタの外観を模した形状に形成されてもよい。
【００４９】
他の動物としては、例えば、愛玩動物（イヌ、ネコ、小鳥、ねずみなど）、干支、各種野生動物（ライオン、カバ、キリン、コアラ、ラッコ、イルカ、クジラなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、キャラクタとしては、例えば、アニメ、童話、昔話などの主人公および擬人化した動植物（例えば、擬人化したネズミなど）などが考えられる。
【００５０】
例えば、物品保持スタンド１０が小鳥の外観を模した形状に形成されている場合には、足が２本になるため、上記実施形態の脚部１６（図１）は、２本に減らされてもよい。
【００５１】
また、上記実施形態では、物品保持スタンド１０の保持対象である物品Ｘとして、スマートフォンが例示されているが、例えば、携帯電話機（スマートフォンを除く。）、デジタルカメラおよびメガネなどが物品Ｘとして採用されてもよい。また、例えば、リップスティック、コンパクト、手鏡などの美容化粧用具、宝石などのジュエリー、鍵などが物品Ｘとして採用されてもよい。これらの場合、物品Ｘを収納する物品収納部１４や本体部１２の形状や大きさは、保持対象である物品Ｘの形状や大きさに応じて適宜決定されてもよい。
【符号の説明】
【００５２】
Ｘ…物品、１０…物品保持スタンド、１２…本体部、１４…物品収納部、１６…脚部、
２８…開口部、３２…袋状部、３４…充填材
【図１】
0003209528.tif 000003
【図２】
0003209528.tif 000004
【図３】
0003209528.tif 000005
【図４】
0003209528.tif 000006
【図５】
0003209528.tif 000007